(57)【要約】【課題】  温度検出手段の危険温度の検出精度及び予測手段の危険温度到達予測時間の予測精度の確保を満たすことの可能な温度検出制御装置を提供する。【解決手段】  固体撮像素子３などの発熱部の温度を検出する温度検出部６と、該温度検出部の検出温度と検出時刻を記録する温度記録部16と、該温度記録部に記録した検出温度と検出時刻に基づき所定温度に達するまでの到達予測時間を予測する予測部17と、複数の所定温度範囲に応じて前記温度検出部の温度検出の時間間隔を切替え制御するにあたり、前記温度検出部の温度検出の時間間隔を、前記複数の所定温度範囲のうち最も高温の所定温度範囲において他の所定温度範囲に比べ短時間に設定する制御部７とを備えて温度検出制御装置を構成する。【選択図】        図１
2009111681.tif 000002
【特許請求の範囲】
【請求項１】
発熱部の温度を検出する温度検出手段と、前記温度検出手段の検出温度と検出時刻とを記録する記録手段と、前記記録手段に記録した検出温度と検出時刻とに基づき所定温度に達するまでの到達予測時間を予測する予測手段と、複数の所定温度範囲に応じて前記温度検出手段の温度検出の時間間隔を切替え制御するにあたり、前記温度検出手段の温度検出の時間間隔を、前記複数の所定温度範囲のうち最も高温の所定温度範囲において他の所定温度範囲に比べ短時間に設定する制御手段とを備えたことを特徴とする温度検出制御装置。
【請求項２】
前記記録手段は、第１の所定温度以上の場合に検出温度と検出時刻とを記録することを特徴とする請求項１に係る温度検出制御装置。
【請求項３】
前記予測手段は、第２の所定温度以上の場合に前記到達予測時間を予測することを特徴とする請求項１又は２に係る温度検出制御装置。
【請求項４】
前記制御手段は、前記温度検出手段の温度検出の時間間隔を切替え制御するにあたり、前記予測手段で前記所定温度範囲間の高温側の境界温度に達するまでの到達予測時間を予測し、該到達予測時間が当該所定温度範囲の温度検出時間間隔と比べ短時間の場合に、前記温度検出手段の温度検出時間間隔を、隣接する高温側の所定温度範囲に応じた時間間隔に設定することを特徴とする請求項１〜３のいずれか１項に係る温度検出制御装置。
【請求項５】
前記温度検出手段の検出温度が第３の所定温度以上の場合に前記予測手段の到達予測時間を表示し、第４の所定温度に達した場合に警告を表示する表示手段を更に備えたことを特徴とする請求項１〜４のいずれか１項に係る温度検出制御装置。
【請求項６】
被写体像を画像信号に変換する固体撮像素子と、
前記固体撮像素子の温度変動を検出する請求項１〜５のいずれか１項に記載の温度検出制御装置とを有し、
ここで、前記温度検出手段、前記記録手段、前記予測手段及び前記制御手段のうち少なくともいずれか１つ以上の手段は前記固体撮像素子と同一チップ内に形成されていることを特徴とする撮像装置。
【発明の詳細な説明】
【技術分野】
【０００１】
この発明は、温度検出制御装置及びそれを備えた撮像装置に関するもので、特に温度検出の時間間隔の切替え制御を行えるようにした温度検出制御装置及びそれを備えた撮像装置に関する。
【背景技術】
【０００２】
デジタルカメラ等の撮像装置においては、内蔵する電気部品が動作することで発熱して撮像装置の温度が上昇し、そして、電気部品の消費電力が高い動作になるほど発熱による温度上昇が急激になることが知られている。撮像装置における電気部品のひとつである固体撮像素子の発熱は、ノイズの増加を招き、それにより撮像信号を劣化させ撮影画像に大きく影響を与える。また、デジタルカメラの表面温度の上昇は、使用者が火傷を起こす危険性もある。
【０００３】
デジタルカメラの表面温度を検出して、使用者に温度上昇の注意を促す手法が各種提案されている。一例として、特開２００７−７４０９５号公報（特許文献１）には、温度センサによってカメラボディの表面温度を所定間隔で検出し、検出温度が人体に有害な危険温度に達していることを検出した場合には、ＬＣＤに表面温度、危険温度、温度グラフ、警告情報を表示し、また、危険温度以下の場合には危険温度へ達する到達時間を予測し、ＬＣＤに表面温度、危険温度、温度グラフ、予測情報を表示するようにしたデジタルカメラが開示されている。
【特許文献１】特開２００７−７４０９５号公報
【発明の開示】
【発明が解決しようとする課題】
【０００４】
ところで、上記特許文献１に開示されているデジタルカメラにおいては、デジタルカメラの表面温度に無関係に温度センサによる温度検出の時間間隔を所定の間隔で行っている。このため、温度センサの温度検出の時間間隔が長時間の場合には、温度検出の時間的な密度が粗いために、危険温度を超えた後の時刻に危険温度以上の温度を検出して、警告情報を表示するということが生じ得る。
【０００５】
上述のことは、特に温度上昇が急激な場合に顕著となり、危険温度を大きく超えても温度検出の時刻がくるまで警告情報を表示しないため、危険温度の検出精度が著しく低下することがある。また、デジタルカメラの動作モード（動画撮影、連写撮影、静止画撮影、再生、電子ライブビュー、スタンバイ等）の変更等により温度特性が変化した場合において、危険温度に到達するまでの到達予測時間（以下、危険温度到達予測時間という）を予測するために必要なＥＥＰＲＯＭに記憶する温度センサ検出温度も、時間的密度が粗いため予測精度を悪くしていることになる。
【０００６】
本発明は、従来の撮像装置における以上のような課題を解決するためになされたもので、より適切な温度検出及び予測を可能とする温度検出制御装置及びそれを備えた撮像装置を提供することを目的とするものである。
【課題を解決するための手段】
【０００７】
上記課題を解決するために、請求項１に係る発明は、発熱部の温度を検出する温度検出手段と、前記温度検出手段の検出温度と検出時刻とを記録する記録手段と、前記記録手段に記録した検出温度と検出時刻とに基づき所定温度に達するまでの到達予測時間を予測する予測手段と、複数の所定温度範囲に応じて前記温度検出手段の温度検出の時間間隔を切替え制御するにあたり、前記温度検出手段の温度検出の時間間隔を、前記複数の所定温度範囲のうち最も高温の所定温度範囲において他の所定温度範囲に比べ短時間に設定する制御手段とを備えて温度検出制御装置を構成するものである。
【０００８】
請求項２に係る発明は、請求項１に係る温度検出制御装置において、前記記録手段は第１の所定温度以上の場合に検出温度と検出時刻とを記録することを特徴とするものである。
【０００９】
請求項３に係る発明は、請求項１又は２に係る温度検出制御装置において、前記予測手段は第２の所定温度以上の場合に前記到達予測時間を予測することを特徴とするものである。
【００１０】
請求項４に係る発明は、請求項１〜３のいずれか１項に係る温度検出制御装置において、前記制御手段は、前記温度検出手段の温度検出の時間間隔を切替え制御するにあたり、前記予測手段で前記所定温度範囲間の高温側の境界温度に達するまでの到達予測時間を予測し、該到達予測時間が当該所定温度範囲の温度検出時間間隔と比べ短時間の場合に、前記温度検出手段の温度検出時間間隔を、隣接する高温側の所定温度範囲に応じた時間間隔に設定することを特徴とするものである。
【００１１】
請求項５に係る発明は、請求項１〜４のいずれか１項に係る温度検出制御装置おいて、前記温度検出手段の検出温度が第３の所定温度以上の場合に前記予測手段の到達予測時間を表示し、第４の所定温度に達した場合に警告を表示する表示手段を更に備えたことを特徴とするものである。
【００１２】
請求項６に係る発明は、被写体像を画像信号に変換する固体撮像素子と、前記固体撮像素子の温度変動を検出する請求項１〜５のいずれか１項に記載の温度検出制御装置とを有し、ここで、前記温度検出手段、前記記録手段、前記予測手段及び前記制御手段のうち少なくともいずれか１つ以上の手段は前記固体撮像素子と同一チップ内に形成して撮像装置を構成するものである。
【発明の効果】
【００１３】
請求項１に係る発明によれば、温度検出手段の温度検出の時間間隔を危険温度付近の高温の所定温度範囲において短時間に設定することで、温度検出手段の危険温度の検出精度を確保することができると共に、予測手段の危険温度到達予測時間の予測精度を確保することができる。また請求項２に係る発明によれば、記録手段に記録する検出温度と検出時刻（以下、温度データという）とを削減することが可能となる。また請求項３に係る発明によれば、予測手段において危険温度付近でのみ危険温度到達予測時間を予測することが可能となる。また請求項４に係る発明によれば、予測手段において危険温度到達予測時間を予測するために必要とする時間を短時間にすることが可能となる。また請求項５に係る発明によれば、表示手段に危険温度付近のみ危険温度到達予測時間を表示することが可能となると共に、危険温度に達したことを使用者に警告表示することが可能となる。また請求項６に係る発明によれば、撮像装置を構成する部品点数を削減できコスト削減すると共に、撮像装置を小型軽量化することが可能となり、更に温度誤差の低減化を向上させることが可能となる。
【発明を実施するための最良の形態】
【００１４】
次に、本発明を実施するための最良の形態について説明する。
【実施例】
【００１５】
（実施例１）
まず、本発明に係る実施例１について説明する。本実施例は、請求項１，２，３及び５に係る発明に対応するもので、本発明の一例としてデジタルカメラに適応したものについて説明する。図１は、本実施例１に係るデジタルカメラの主要部の概略構成例を示すブロック図である。実施例１に係るデジタルカメラは、撮像レンズ１と、撮像レンズ駆動回路２と、固体撮像素子３と、固体撮像素子駆動回路４と、画像処理回路５と、請求項の温度検出手段に対応する温度検出部６と、同じく請求項の制御手段に対応する制御部７と、ＡＥ回路８と、ＡＦ回路９と、操作部10と、メモリ11と、フレームメモリ12と、記録メディア13と、表示部駆動回路14と、請求項の表示手段に対応する表示部15と、同じく請求項の記録手段に対応する温度記録部16と、同じく請求項のの予測手段に対応する予測部17と、ＣＰＵ18と、図示しない電源とを備え、図示しない筐体内に適宜配置されて構成されている。
【００１６】
そして、撮像レンズ１は、ズームレンズ系とその駆動モータと、フォーカスレンズ系とその駆動モータと、光学絞りとその駆動用モータと、メカシャッタとその駆動用モータ等から成り、被写体像を固体撮像素子３に結像する。撮像レンズ駆動回路２は、撮像レンズ１の各駆動モータを駆動するためのドライバ回路等から成り、撮像レンズ１をタイミング制御する。固体撮像素子３は、数百万個の画素を２次元に配列した受光部を有し、撮像レンズ１を介して結像した被写体像の光信号を電気信号に変換する。また、固体撮像素子３としては、ＣＣＤ又はＣＭＯＳイメージセンサ等の光信号を電気信号に変換する機能を有するものであればよい。
【００１７】
固体撮像素子駆動回路４は、固体撮像素子３を駆動するためのクロックパルスを生成するＴＧ（タイミング生成）回路と電源回路等から成り、固体撮像素子３をタイミング制御する。画像処理回路５は、固体撮像素子３の出力信号に混入しているノイズ成分を除去するためのＣＤＳ（相関２重サンプリング）処理回路と、出力信号を増幅するためのＡＧＣ（自動利得制御）処理回路と、出力信号をＡＤＣ（アナログ−デジタル信号変換）処理して画像データを生成する処理回路と、画像データに対して、γ補正と、ホワイトバランス調整と、色変換と、画像圧縮とを行う処理回路等から成り、各種信号処理を行う。また、画像データをフレームメモリ12に記憶する機能と、圧縮画像データを記録メディア13に記録する機能とを有する。
【００１８】
温度検出部６は、温度センサから成り、該温度センサを固体撮像素子３の近傍に配置し、固体撮像素子３の温度を検出する。温度センサには抵抗、サーミスタ、熱電対、半導体等を用いればよい。また、温度検出部６を固体撮像素子３と同一チップ上に形成することで、温度誤差の低減化を向上させる効果がある。更に、温度検出部６を固体撮像素子３以外の画像処理回路５やＣＰＵ18等の高消費電力の電気部品の近傍に配置し、又はそれらと同一チップ上に形成してもよい。
【００１９】
制御部７は、ＴＧ（タイミング生成）回路等から成り、温度検出部６の温度検出の時間間隔をタイミング制御するもので、固体撮像素子３の複数の所定温度範囲に応じて温度検出時間間隔を切替え制御する。また、温度検出部６と同様に、固体撮像素子３，画像処理回路５，ＣＰＵ１８等の電気部品の近傍に配置し、又はそれらと同一チップ上に形成してもよい。ＡＥ回路８は、画像処理回路５の画像データに基づいて自動露出演算処理を行う。ＡＦ回路９は、画像処理回路５の画像データに基づいて自動焦点演算処理を行う。操作部10は、デジタルカメラの電源をオン／オフするためのスイッチと、デジタルカメラの複数の動作モードを切替えるためのスイッチと、レリーズボタン等から成り、使用者がデジタルカメラを操作することを可能にする。
【００２０】
ここで、デジタルカメラの動作モードとしては、動画撮影モードと、連写撮影モードと、静止画撮影モードと、固体撮像素子３からの画像データを連続して表示部15に表示する電子ライブビューモードと、記録メディア13に記録した画像を表示部15に再生表示する再生モード、スタンバイモード等がある。メモリ11は、デジタルカメラの各種動作プログラムと調整データ等を保存している。また、メモリ11には、本実施例に係るデジタルカメラにおける温度検出時間間隔と複数の所定温度範囲と複数の所定温度等が保存されている。
【００２１】
フレームメモリ12は、画像処理回路５の画像データ等を一時的に格納しておくためのメモリである。記録メディア13は、圧縮画像データを記録するための記録媒体であり、メモリカード等で構成され、デジタルカメラから着脱可能である。表示部駆動回路14は、表示部15を駆動するためのドライバ回路等から成り、表示部15の表示を制御する。表示部15は、ＬＣＤで構成され、画像処理回路５の画像データと記録メディア13に記録した圧縮画像データ等を再生表示する。また、表示部15は、温度記録部16に記録した温度データと、予測部17で予測した危険温度到達予測時間と、危険温度に達したことを知らせる警告情報等を表示する。
【００２２】
温度記録部16は、温度検出部６の検出温度が所定温度以上の場合に温度データを記録するメモリから成る。予測部17は、温度記録部16の温度データに基づき所定温度に到達するまでの時間を予測するための演算回路から成る。ＣＰＵ18は、メモリ11に保存されているデジタルカメラの各種動作プログラムと各種データ等を読み込むと共に、デジタルカメラ全体の動作を統括して制御する。また、温度検出部６の検出温度を所定温度と比較判定して、制御部７と、温度記録部16と、予測部17と、表示部駆動回路14とを制御する。固体撮像素子駆動回路４と、画像処理回路５の構成回路のうちのＣＤＳとＡＧＣとＡＤＣと、温度記録部16と、予測部17は、固体撮像素子３と同一チップ上に形成してもよく、特にＣＭＯＳイメージセンサの場合には、製造上これらを同一チップ上に形成し易い。
【００２３】
次に、図２に示すフローチャートを用いて本実施例の動作について説明する。図２は、本発明における複数の所定温度範囲として、固体撮像素子３に３つの温度範囲を設けた場合を示している。すなわち温度範囲ＬとしてTeM1（℃）未満、温度範囲ＭとしてTeM1（℃）以上TeM2（℃）未満、温度範囲ＨとしてTeM2（℃）以上TeH(℃）未満の３つである。TeM1（℃) ，TeM2（℃），TeH(℃) の温度の高低は、TeM1（℃) ＜TeM2（℃）＜TeH(℃) の関係にあり、３つの温度範囲は、温度範囲Ｌ＜温度範囲Ｍ＜温度範囲Ｈとなる。なお、TeH(℃) は本発明における第４の所定温度の危険温度に対応する温度である。
【００２４】
また、本実施例の各温度範囲における温度検出部６の温度検出時間間隔を、温度範囲ＬではTL(s）＝４×TH(s），温度範囲ＭではTM(s）＝２×TH(s），温度範囲ＨではTH(s）とし、３つの温度検出時間間隔の時間の長短は、TL(s）＞TM(s）＞TH(s）の関係にある。図２中のTeS(℃) は、本発明における第１の所定温度に対応する温度であり、温度検出部６の検出温度がTeS(℃) 以上の場合には、温度記録部16に温度データを記録する。また、TeL(℃) は、本発明の第２，第3 の所定温度に対応する温度であり、温度検出部６の検出温度がTeL(℃) 以上の場合には、予測部17で危険温度到達予測時間を予測すると共に、危険温度到達予測時間を表示部15に表示する。TeS(℃) とTeL(℃) の温度の高低は、TeS(℃) ＜TeL(℃) の関係にある。
【００２５】
本実施例では、TL(s）＝４×TH(s），TM(s）＝２×TH(s）としているが、TL(s）＞TH(s）且つTM(s）＞TH(s）の関係が成り立てば、これに限定されない。また、TeS(℃) とTeL(℃）を別々に設定しているが、共通に設定できることは勿論である。また、TeL(℃) を第２，第３の所定温度として共通にしているが、別々の温度に設定できることは勿論である。すなわち、第１の所定温度≦第２の所定温度≦第３の所定温度＜第４の所定温度の関係が成り立てばよい。
【００２６】
以下、図２に示す動作態様について詳細に説明する。操作部10にてデジタルカメラの電源をオンした直後に、温度検出部６にて固体撮像素子３の初期温度を検出する（ステップＳ１）。次いで、検出温度が危険温度TeH(℃) 以上か否かを比較判定する（ステップＳ２）。そして、検出温度がTeH(℃) 以上の場合には、表示部15に警告表示する（ステップＳ14）。検出温度がTeH(℃) 未満の場合には、更に検出温度がTeM1（℃) 未満か否かを比較判定する（ステップＳ３）。そして、検出温度がTeM1（℃) 未満の場合には、温度検出部６の温度検出時間間隔をTL(s）に設定する（ステップＳ５）。一方、検出温度がTeM1（℃）以上の場合には、更に検出温度がTeM2（℃) 未満か否かを比較判定する（ステップＳ４）。そして、検出温度がTeM2（℃) 未満の場合には、温度検出部６の温度検出時間間隔をTM(s）に設定する（ステップＳ６）。一方、検出温度がTeM2（℃）以上の場合には、温度検出部６の温度検出時間間隔をTH(s）に設定する（ステップＳ７）。そして、TL(s）又はTM(s）又はTH(s）に設定された温度検出部６の温度検出時間間隔で固体撮像素子３の温度検出を行う（ステップＳ８）。次いで検出温度がTeS(℃）以上か否かを判定する（ステップＳ９）。そして、検出温度がTeS(℃）以上の場合には、温度データを温度記録部16に記録する（ステップＳ10）。一方、検出温度がTeS(℃）未満の場合にはステップＳ２に戻る。次いで、検出温度がTeL(℃）以上か否かを比較判定する（ステップＳ11）。そして、検出温度がTeL(℃）未満の場合には、ステップＳ２に戻る。一方、検出温度がTeL(℃）以上の場合には、温度記録部16の温度データに基づき危険温度TeH(℃）到達予測時間を予測して（ステップＳ12）、表示部15に危険温度TeH(℃）到達予想時間を表示し（ステップＳ13）、ステップＳ２に戻る。以上説明した動作フローは、ステップＳ１を除きデジタルカメラの電源をオフするまで繰り返される。
【００２７】
次に、図３に示す温度グラフを用いて本実施例の動作について説明する。図３は、図２に示したフローチャートに従って温度検出部６の温度検出を、各温度範囲に対して３回ずつ行う場合の動作を示すものである。図３において、Ｘ軸はデジタルカメラの電源をオンしてからの経過時間（ｓ），Ｙ軸は温度（℃）を示している。また、太線は固体撮像素子３の温度特性の一例を示し、太破線は危険温度TeH(℃）到達までの予測特性を示している。また、第１の所定温度TeS(℃）と第２，第３の所定温度TeL(℃）とを、温度範囲Ｍの下限温度TeM1（℃）と温度範囲Ｈの下限温度TeM2（℃）との中間に設定している場合を示しているが、TeS(℃）≦TeL(℃）の関係の関係が成り立てば、この設定に限定されない。
【００２８】
温度検出部６による検出温度は、温度範囲ＬにおけるTe0(℃），Te1(℃），Te2(℃）と、温度範囲ＭにおけるTeD1（℃），Te３（℃），Te４（℃）と、温度範囲ＨにおけるTeD2（℃），Te５（℃），Te６（℃）である。このうち黒丸（●）と白丸（○）とで示したTe3(℃），Te４（℃），TeD2（℃），Te5(℃），Te6(℃）の５つが温度記録部16に記録される。白丸（○）は後述する温度TeD2（℃）を示している。破線部19は表示部15に表示するグラフ範囲を示している。
【００２９】
以下、図３の温度グラフについて詳細に説明する。操作部10にてデジタルカメラの電源をオンした直後の時刻Ti0(s)において、固体撮像素子３の初期温度Te0(℃）を検出する。つづいてTL(s）間隔で時刻Ti1(s)においてTe1(℃）を、時刻Ti2(s)においてTe2(℃）を、時刻TiD1(s）においてTeD1（℃）を検出する。ここで、TeD1（℃）は温度範囲Ｍの下限温度TeM1（℃）を超え温度範囲Ｍの温度となるが、温度検出時間間隔TL(s）が温度範囲Ｍの温度検出時間間隔TM(s）へ切替えられていないため、TL(s）間隔で検出することになる。続いて温度範囲Ｍの温度検出時間間隔TM(s）で時刻Ti３(s）においてTe３（℃）を、時刻Ti4(s)においてTe4(℃）を、時刻TiD2(s）においてTeD2（℃）を検出し、Te3(℃）とTe4(℃）とTeD2（℃）が、第１の所定温度TeS(℃）以上であるので温度記録部16に温度データが記録される。
【００３０】
ここで、TeD2（℃）は温度範囲Ｈの下限温度TeM2（℃）を超え温度範囲Ｈの温度となるが、温度検出時間間隔TM(s）が温度範囲Ｈの温度検出時間間隔TH(s）へ切替えられていないため、TM(s）間隔で検出することになる。続いて温度範囲Ｈの温度検出時間間隔TH(s）で時刻Ti5(s)においてTe5(℃）を、時刻Ti6(s)においてTe6(℃）を検出し、Te5(℃）とTe6(℃) とが、第１の所定温度TeS(℃）以上であるので温度記録部16に温度データが記録される。予測部17で危険温度TeH(℃）到達予測時間の（TiH −Ti6)(s）を予測する。ここで、（TiH −Ti6)(s）の予測には、Ti4(s)とTe4(℃) と、TiD2(s）とTeD2（℃）と、Ti5(s)とTe5(℃) と、Ti6(s)とTe6(℃）との４つの経過時間に対する温度データを必要とし、これらに基づいて得られたこととするが、この限りではない。（TiH −Ti6)(s）を予想するために必要な時間は、TH×４(s）（＝Ti6 −Ti4(s)＝TM＋TH＋TH(s））となる。
【００３１】
本実施例では、所定温度範囲毎に設定した温度検出時間間隔は、温度範囲の境界温度を超えて隣接する高温側の温度範囲においても最初の１回だけ有効となる。すなわち、温度範囲Ｌの温度検出時間間隔TL(s）で温度範囲ＭのTeD1（℃）を１回検出し、温度範囲Ｍの温度検出時間間隔TM(s）で温度範囲ＨのTeD2（℃) を１回検出することになる。
【００３２】
次に、図4 ，図5 に示す表示部15の表示内容について説明する。図４は、図３の破線部19で示したグラフ20と使用者への注意情報21を表示している。図５は、図３の破線部19において危険温度TeH(℃）に達した場合のグラフ22と使用者への警告情報23を表示している。ここで、図４は、温度検出の度に表示部15に表示してもよいし、またグラフ20と注意情報21のどちらか一方のみ表示してもよいし、更には表示部15に撮影画像、再生画像が表示されている場合には、同時に縮小表示してもよい。
【００３３】
図５は、グラフ22と注意情報23のどちらか一方のみ表示してもし、また表示部15に撮影画像、再生画像が表示されている場合には同時に縮小表示してもよい。ここで示した表示部15の表示内容は一例であり、これに限定されない。図４，図５は操作部10により表示のオンオフを制御するようにしてもよい。また、他の異なる方法、例えばＬＥＤ発光、発生音等を表示部15の代わりに使用してもよいし、併用してもよい。要は、デジタルカメラ使用者への注意、警告を知らせることができれば何でもよい。
【００３４】
以上説明したように、本実施例によれば、固体撮像素子３の３つの所定温度範囲（温度範囲Ｌ，温度範囲Ｍ，温度範囲Ｈ）に応じて、温度検出部３の温度検出時間間間隔（TL，TM，TH）を温度範囲が高温になるほど短時間（TL＞TM＞TH）になるように、制御部７で切替え制御する。これにより、危険温度（TeH)の検出精度と予測部17の危険温度到達予測時間（TiH −Ti6)の予測精度とを確保することができると共に、温度記録部16の温度データの記録容量を小型化することができる。よって、危険温度の検出精度確保と危険温度到達予測時間の予測精度確保と記録容量の小型化とを全て同時に満足することが可能となる。
【００３５】
また、検出温度が所定温度(TeS) 以上の場合のみ温度記録部16に温度データを記録するため、記録部の容量の小型化の効果を向上させている。ここでは、複数の所定温度範囲が３つの場合を示したが、この限りではない。また、所定温度(TeS) 以上の場合に温度記録部16に温度データの記録を行ったが、デジタルカメラの電源をオンした直後から記録を行っても、デジタルカメラが低温時には温度検出時間間隔が長時間のため記録データ数を少なくできるので、危険温度検出と危険温度到達予測時間の精度確保と記録容量の小型化とを全て同時に満足することができることは勿論である。
【００３６】
またデジタルカメラ使用者にとって、検出温度が低温の時には危険温度到達予測時間の注意情報は必要なく、かえって煩わしい。そこで、検出温度が危険温度に近づいた所定温度(TeL）以上の場合のみ、予測部17にて危険温度到達予測時間を予測すると共に、危険温度到達予測時間を表示部15に表示することで、使い勝手がよくなる。更に、所定温度以上の場合のみ温度記録部16と予測部17と表示部15とを動作させるので、消費電力の削減効果も有る。
【００３７】
（実施例２）
次に、本発明の実施例２を、図６〜８に基づいて説明する。本実施例は、請求項１，２，３，４，５及び６に係る発明に対応するもので、実施例１とは、デジタルカメラの主要な概略構成と、所定温度範囲間の境界温度おける温度検出部６の温度検出時間間隔の切替え制御方法との2 点が異なる。図６は、図１で示した実施例１とは異なるデジタルカメラの主要部の概略構成例を示すブロック図であり、図１に示した実施例１と同一の構成部分には同一符号を付して示している。図１に示した実施例１と異なる部分は固体撮像素子30のみであり、本実施例では固体撮像素子30と同一チップ上に、固体撮像素子駆動回路４，温度検出部６，制御部７，温度記録部16，予測部17を形成している。他の構成は図１に示した実施例１と同様であるので、その説明を省略する。
【００３８】
次に、図７に示すフローチャートを用いて本実施例の動作について説明する。図７は、本発明における複数の所定温度範囲として、図１と同様に固体撮像素子３に３つの温度範囲を設けた場合を示している。すなわち、温度範囲ＬとしてTeM1（℃）未満、温度範囲ＭとしてTeM1（℃）以上TeM2（℃）未満、温度範囲ＨとしてTeM2（℃) 以上TeH(℃) 未満の３つである。温度の高低の関係は、TeM1（℃）＜TeM2（℃）＜TeH(℃) ，温度範囲Ｌ＜温度範囲Ｍ＜温度範囲Ｈとなる。ここで、温度範囲Ｍの下限温度TeM1（℃）を温度範囲Ｌと温度範囲Ｍの境界温度とすると共に、温度範囲Ｈの下限温度TeM2（℃) を温度範囲Ｍと温度範囲Ｈの境界温度として以下で説明するが、各温度範囲の上限値を境界温度としてもよい。なお、TeH(℃) は本発明における第４の所定温度の危険温度に対応する温度である。また、本発明の各温度範囲における温度検出部６の温度検出時間間隔は、実施例１と同様に温度範囲ＬではTL(s）＝４×TH(s），温度範囲ＭではTM(s）＝２×TH(s），温度範囲ＨではTH(s）とし、TL(s）＞TM(s）＞TH(s）の関係にある。
【００３９】
図７におけるTeS(℃）は、本発明における第１の所定温度に対応する温度であり、温度検出部６の検出温度がTeS(℃）以上の場合に温度記録部16に温度データを記録する。また、TeL(℃）は本発明における第２，第３の所定温度に対応する温度であり、温度検出部６の検出温度がTeL(℃）以上の場合には、予測部17で危険温度到達予測時間を予測すると共に、危険温度到達予測時間を表示部15に表示する。TeS(℃）とTeL(℃) の温度の高低は、TeS(℃）＜TeL(℃）の関係にある。本実施例では、TL(s）＝４×TH(s），TM(s）＝２×TH(s）としているが、TL(s）＞TH(s）且つTM(s）＞TH(s）の関係が成り立てば、これに限定されない。また、TeS(℃）とTeL(℃）を別々に設定しているが、共通にできることは勿論である。また、TeL(℃) を第２，第３の所定温度として共通にしているが、別々の温度に設定できることは勿論である。すなわち、第１の所定温度≦第２の所定温度≦第３の所定温度＜第４の所定温度の関係が成り立てばよい。
【００４０】
以下、図７に示す動作態様について詳細に説明する。図７は、実施例１について示した図２のフローチャートとは所定温度範囲間の境界温度おける温度検出部６の温度検出時間間隔の切替え制御方法が異なり、図２と同一のステップ部分には同じ符号を付して示している。まず、操作部10にてデジタルカメラの電源をオンした直後に、温度検出部６にて固体撮像素子30の初期温度を検出する（ステップＳ１）。次いで、検出温度が危険温度TeH(℃）以上か否かを比較判定する（ステップＳ２）。そして、検出温度がTeH(℃）以上の場合には、表示部15に警告表示する（ステップＳ14）。一方、検出温度がTeH(℃）未満の場合には、更に検出温度が境界温度TeM1（℃）未満か否かを比較判定する（ステップＳ３）。そして、検出温度がTeM1（℃）未満の場合には、温度検出部６の温度検出時間間隔をTL(s）に設定する（ステップＳ５）。一方、検出温度がTeM1（℃）以上の場合には、ステップＳ４に進む。
【００４１】
次いで、温度検出部６にてTL(s）に設定された温度検出時間間隔で固体撮像素子30の温度検出を行う（ステップＳ30）。続いて、検出温度がTeS(℃）以上か否かを比較判定する（ステップＳ31）。そして、検出温度がTeS(℃）未満の場合にはステップＳ２に戻る。一方、検出温度がTeS(℃）以上の場合には、温度データを温度記録部16に記録する（ステップＳ32）。次いで、温度記録部16の温度データに基づき温度範囲Ｌと温度範囲Ｍの境界温度TeM1（℃）に到達するまでの時間を予測する（ステップＳ33）。そして、境界温度TeM1（℃）までの到達予想時間がTL(s）未満か否かを比較判定する（ステップＳ34）。到達予測時間がTL(s）未満の場合にはステップＳ６に進む。一方、到達予測時間がTL(s）以上の場合には、検出温度がTeL(℃）以上か否かを比較判定する（ステップＳ11）。そして、検出温度がTeL(℃）未満の場合にはステップＳ２に戻る。一方、検出温度がTeL(℃）以上の場合には、温度記録部16の温度データに基づき危険温度TeH(℃）到達予測時間を予測して（ステップＳ12）、表示部15に危険温度TeH(℃）到達予測時間を表示し（ステップＳ13）、ステップＳ２に戻る。
【００４２】
先のステップＳ３にて検出温度がTeM1（℃）以上の場合には、続いて検出温度がTeM2（℃）未満か否かを比較判定する（ステップＳ４）。そして、検出温度がTeM2（℃）以上の場合にはステップＳ７に進む。一方、検出温度がTeM2（℃) 未満の場合には、温度検出部６の温度検出時間間隔をTM(s）に設定する（ステップＳ６）。そして、TM(s）に設定された温度検出部６の温度検出時間間隔で固体撮像素子30の温度検出を行う（ステップＳ35）。次いで、検出温度がTeS(℃）以上か否かを比較判定する（ステップＳ36）。そして、検出温度がTeS(℃）未満の場合にはステップＳ２に戻る。一方、検出温度がTeS(℃）以上の場合には、温度データを温度記録部16に記録する（ステップＳ37）。
【００４３】
次いで、温度記録部16の温度データに基づき温度範囲Ｍと温度範囲Ｌとの境界温度TeM2（℃) に到達するまでの時間を予測する（ステップＳ38）。続いて、境界温度TeM2（℃) までの到達予想時間が、TM(s）未満か否かを比較判定する（ステップＳ39）。そして、到達予測時間がTM(s）未満の場合にはステップＳ７に進む。一方、到達予測時間がTM(s）以上の場合には、ステップＳ11に進む。前記ステップＳ４にて検出温度がTeM2（℃) 以上の場合には、温度検出部６の温度検出時間間隔をTH(s）に設定する（ステップＳ７）。そして、TH(s）に設定された温度検出部６の温度検出時間間隔で固体撮像素子30の温度検出を行う（ステップＳ40）。次いで、検出温度がTeS(℃）以上か否かを比較判定する（ステップＳ41）。そして、検出温度がTeS(℃）未満の場合にはステップＳ２に戻る。一方検出温度がTeS(℃）以上の場合には、温度データを温度記録部16に記録し（ステップＳ42）、ステップＳ11に進む。以上説明したフローは、ステップＳ１を除きデジタルカメラの電源をオフするまで繰り返される。
【００４４】
次に、図８に示す温度グラフを用いて本実施例の動作について説明する。図８は、図７に示したフローチャートに従って温度検出部６の温度検出を、各温度範囲に対して３回ずつ行う場合の動作を示すものである。図８は、図３で示した実施例１の温度グラフとは、温度範囲Ｍと温度範囲Ｈの境界温度であるTeM2（℃）おける温度検出時間間隔の切替え制御方法と温度範囲Ｈの温度検出する温度データが異なっているが、図３の温度グラフと同一の部分には同一符号を付して示している。図８において、太線は固体撮像素子30の温度特性の一例を示し、太破線は危険温度TeH(℃）到達までの予測特性を示している。温度検出部６による検出温度は、温度範囲ＬにおけるTe0(℃），Te1(℃），Te2(℃）と、温度範囲ＭにおけるTeD1（℃），Te3(℃），Te4(℃）と、温度範囲ＨにおけるTe30（℃) ，Te31（℃），Te32（℃）である。このうち黒丸（●）で示したTe3(℃），Te4(℃），Te30（℃），Te31（℃），Te32（℃) の５つが温度記録部16に記録される。したがって、図３の温度グラフと比べて、温度範囲Ｍの温度検出時間間隔TM(s）で隣接する高温側の温度範囲Ｈにおいて１回だけ温度検出していたTeD2（℃）＝白丸（○）の温度検出をしていない。図８に示す破線部31は、表示部15に表示するグラフ範囲を示している。
【００４５】
以下、図８の温度グラフついて詳細に説明する。まず操作部10にてデジタルカメラの電源をオンした直後の時刻Ti0(s)において、固体撮像素子30の初期温度Te0(℃）を検出する。続いてTL(s）間隔で時刻Ti1(s)においてTe1(℃）を、時刻Ti2(s)においてTe2(℃) を、時刻TiD1(s）においてTeD1（℃）を検出する。ここで、TeD1（℃) は境界温度TeM1（℃) を超え温度範囲Ｍの温度となっているが、温度検出時間間隔TL(s）で温度検出を行っている。これは、検出温度Te2(℃）が第１の所定温度TeS(℃) 未満のために境界温度TeM1（℃）に到達するまでの時間を予測しておらず、温度検出時間間隔TL(s）がTM(s）へ切替えられていないことによる。続いてTM(s）の時間間隔で時刻Ti3(s)においてTe3(℃）を、時刻Ti4(s)においてTe4(℃) を検出し、検出温度Te3(℃) とTe4(℃) とが第１の所定温度TeS(℃) 以上であるので、温度記録部16に温度データが記録される。
【００４６】
また、検出温度Te4(℃) から温度範囲Ｍと温度範囲Ｈの境界温度TeM2（℃) に到達するまでの時間（TiD30 −Ti4)(s）は、温度範囲Ｍの温度検出時間間隔TM(s）に比べ短時間であるので、温度検出時間間隔は、TM(s）から温度範囲Ｈの温度検出時間間隔TH(s）に切替え制御される。ここで、（TiD3０−Ti4)(s）の予測は、Ti3(s)  における検出温度Te3(℃) と、Ti4(s)における検出温度Te4(℃) との２つの温度データに基づいて得られたこととするが、この限りではない。
【００４７】
続いて、TH(s）間隔で時刻Ti30(s）においてTe30（℃) を、時刻Ti31(s）においてTe31（℃) を、時刻Ti32(s）においてTe32（℃) をそれぞれ検出し、検出温度Te30（℃) とTe31（℃) とTe32（℃) とが、第１の所定温度TeS(℃) 以上であるので温度記録部16に温度データが記録される。次いで、予測部17で危険温度TeH(℃) 到達予測時間の（TiH −Ti32）(s) を予測する。ここで、危険温度到達予測時間（TiH −Ti32）(s) の予測には、図３に示した温度グラフとの比較のため４つの温度データを必要とし、これらに基づいて得られたこととする。すなわち、Ti4(s)とTe4(℃) と、Ti30(s）とTe30（℃) と、Ti31(s）とTe31（℃) と、Ti32(s）とTe32（℃) との４つの経過時間に対する温度データである。上記危険温度到達予測時間（TiH −Ti32）(s）を予測するために必要な時間は、TH×３(s) （＝Ti32−Ti4(s)＝TH＋TH＋TH(s））となる。よって、図３に示した実施例１に比べ、TH(s）短い時間で、危険温度到達予測時間を予測することができる。このTH(s) の差は、実施例１の温度範囲Ｍと温度範囲Ｈの境界温度であるTeM2（℃）おける温度検出時間間隔の切替え制御方法の差に起因していることによる。
【００４８】
ここでは、表示部15の表示内容、デジタルカメラ使用者への注意、警告については詳細な説明を省略するが、実施例１で説明したように、その目的を逸脱しない範囲で各種変形、変更が可能である。
【００４９】
以上説明したように、本実施例によれば実施例１で説明したような効果を得られることは勿論である。また、実施例１で示したような所定温度範囲毎に設定した温度検出時間間隔が、温度範囲の境界温度を超えて隣接する高温側の温度範囲においても最初の１回だけ有効となり温度検出をしてしまうことがないため、予測手段において危険温度到達予測時間を予測するために必要とする時間を実施例１に比べ短時間にすることができる。また、固体撮像素子と同一チップ内に温度検出手段と、記録手段と、予測手段と、制御手段とを形成することで、温度検出の温度誤差の低減化を向上させることができ、撮像装置を構成する部品点数を削減できコスト削減すると共に、撮像装置を小型軽量化することができる。なお、本発明に係る実施例は、デジタルカメラだけに限定されるものでなく、撮像機能付きの装置・機器は勿論、撮像機能を備えない装置・機器に適応できることはいうまでもない。
【図面の簡単な説明】
【００５０】
【図１】本発明の実施例１に係るデジタルカメラの主要部の概略構成を示すブロック図である。
【図２】図１に示した実施例１の動作を説明するためのフローチャートである。
【図３】図１に示した実施例１の動作を説明するための温度グラフ図である。
【図４】図１に示した実施例１の表示部の表示内容の一例を示す図である。
【図５】図１に示した実施例１の表示部の表示内容の他の例を示す図である。
【図６】実施例２の主要部の概略構成を示すブロック図である。
【図７】図６に示した実施例２の動作を説明するためのフローチャートである。
【図８】図６に示した実施例２の動作を説明するための温度グラフ図である。
【符号の説明】
【００５１】
１  撮像レンズ
２  撮像レンズ駆動回路
３，30  固体撮像素子
４  固体撮像素子駆動回路
５  画像処理回路
６  温度検出部
７  制御部
８  ＡＥ回路
９  ＡＦ回路
10  操作部
11  メモリ
12  フレームメモリ
13  記録メディア
14  表示部駆動回路
15  表示部
16  温度記録部
17  予測部
18  ＣＰＵ
19，31  表示部に表示するグラフ範囲
20，22  グラフ
21  注意情報
23  警告情報
【図１】
2009111681.tif 000003
【図２】
2009111681.tif 000004
【図３】
2009111681.tif 000005
【図４】
2009111681.tif 000006
【図５】
2009111681.tif 000007
【図６】
2009111681.tif 000008
【図７】
2009111681.tif 000009
【図８】
2009111681.tif 000010